(57)【要約】      （修正有）【課題】缶の頂面に雨水、雪解け水等の溜り水が溜ることを防止し、内容物が不衛生化、不良品化する問題を解決するのに用いる新規の缶用溜り水排水具を提供する。【解決手段】毛細管現象機能を備えた素材からなる主要部を有し、該主要部は缶の上面に溜る雨水、雪解け水等の溜り水を缶上面の縁の外側に案内する吸水案内部分と該案内された溜り水を缶の外に垂れ落とす排水部分とを連続状態で備え、この主要部は帯状にされ、その両端にはこれら両端を相互に止める止着部が設けられたことを特徴とする。【選択図】図３
0003115635.tif 000002
【実用新案登録請求の範囲】
【請求項１】
毛細管現象機能を備えた素材からなる主要部を有し、該主要部は缶の上面に形成された有底空間に溜る雨水、雪解け水等の溜り水を該有底空間の外側に案内する吸水案内部分と、該案内された溜り水を缶の外に垂れ落とす排水部分とを連続状態で備えてなることを特徴とする缶用溜り水排水具。
【請求項２】
前記主要部は不織布、フエルト、厚布、破れにくい紙等の繊維質素材である請求項１記載の缶用溜り水排水具。
【請求項３】
前記主要部は缶の上面の全周を囲繞する構成である請求項１又は２記載の缶用溜り水排水具。
【請求項４】
前記主要部は帯状に構成され、その両端にこれら両端を相互に止める止着部が設けられた請求項１、２又は３記載の缶用溜り水排水具。
【考案の詳細な説明】
【技術分野】
【０００１】
本考案は、塗料、飲料、食料、化粧料等の液状物の貯留および運搬に用いられる、スナップキャップ開閉式のブリキ製大型角型缶、ガロン缶、ドラム缶等大型缶の上面外周縁部に装着して使用する缶用溜り水排水具に関する。具体的には、缶の頂面に雨水や雪解け水等の溜り水が溜まることを防止し、内容物が不衛生化、不良品化する問題を解決するのに用いる缶用溜り水排水具に関する。
【背景技術】
【０００２】
一般に、ブリキ製大型角型缶、ガロン缶、ドラム缶等の大型缶は、その上面の外周縁に補強のためや、キャップ若しくは栓の保護のために起立縁が設けられ、同上面には浅い有底空間が形成されている。また、上記キャップ若しくは栓の口が起立縁の高さよりも低い位置にされているものであった。このため、大型缶を屋外等に置いたときには、有底空間内に雨水等が溜り、該雨水や雪解け水、雑菌等が缶内に侵入して内容物を汚染、変質するに至ることが比較的多いという問題があった。
【０００３】
また、従前、上記問題を解消するために、缶の提供者は、缶の上面をドーム型にしたり水落し孔を設けたりしたもの、すなわち缶の提供者が追加的に工夫、改良を施したもの（特許文献１及び特許文献２参照）を提供する必要があり、缶の提供者には製造上、経済上の負担になってしまっていたという問題があった。
【特許文献１】特開平７−８９５５３号公報
【特許文献２】特許第３２８４３５１号公報
【考案の開示】
【考案が解決しようとする課題】
【０００４】
本考案は、汎用の大型缶の上に被せ置くことにより、上記したような諸問題を解消しうるようにした新規の缶用溜り水排水具を提供することを目的とする。
【課題を解決するための手段】
【０００５】
上記目的を達成するために、請求項１に係る缶用溜り水排水具は、毛細管現象機能を備えた素材からなる主要部を有し、該主要部は缶の上面に形成された有底空間に溜る雨水、雪解け水等の溜り水を同有底空間の外側に案内する吸水案内部分と、該案内された溜り水を缶の外に垂れ落とす排水部分とを連続状態で備えたことを特徴とする。
【０００６】
そして、この請求項１に係る缶用溜り水排水具は、吸水案内部分が缶の上面すなわち有底空間の底面に接した状態になるようにして且つ排水部分が缶の外に垂れ下がった状態になるようにして缶の上に被せ置いて使用される。このようにして使用されたときには、有底空間内の水が連続している吸水案内部分及び排水部分の毛細管現象機能により缶の外に自然に垂れ落ちる。
【０００７】
なお、上記の垂れ落ちる理屈は、水が入っているバケツの縁に雑巾を掛けて放置したときに該雑巾を介して外に水が垂れ落ちる現象から容易に理解できるので、ここではその説明は省略することにする。
【０００８】
したがって、請求項１に係る缶用溜り水排水具によれば、有底空間内に雨水が流入して溜り始めた時あるいは流入量が多くて溜り残ったときには、自然に上記吸水案内部分及び排水部分の毛細管現象機能により缶の外に垂れ落ちて比較的短時間で排水されるから溜まり残り続けることがなく、請求項１に係る缶用溜り水排水具を缶の上に正しく被せ置いて有りさえすれば、上記雨水や雪解水、雑菌等が缶内に侵入して内容物を汚染、変質するに至るという問題は容易に解消できる。また、上記のように単に被せて使用する形式であるので、缶には何ら工夫、改良を施す必要がなく、缶の提供者の負担を解消できる。
【０００９】
請求項２に係る缶用溜り水排水具は、上記主要部が、不織布、フエルト、厚布、破れにくい紙等の繊維質素材であることを特徴とする。
【００１０】
したがって、不織布、フエルト、厚布、破れにくい紙等の繊維質素材に所定のカット加工若しくは抜き加工を施しことにより容易に且つ廉価に提供できる。
【００１１】
請求項３に係る缶用溜り水排水具は、上記主要部が缶の上面の全周を囲繞する構成であることを特徴とする。
【００１２】
すなわち、どの方向へでも排水できるから、缶の上面が傾いて溜り水が片寄った状態になってしまっている場合でも残ることがない完全排水状態を効率よく確保でき、上記問題の解決に充分に貢献できる。
【００１３】
請求項４に係る缶用溜り水排水具は、上記主要部が帯状に構成され、その両端にこれら両端を相互に止める止着部が設けられたことを特徴とする。
【００１４】
すなわち、後述するように缶には、その上面を囲むように掛け回して止着部を止め状態にする操作で簡単且つスピーディに装着できる利点がある。また、薄くて小さい状態に折り畳んで包装、格納、搬送等ができる。
【考案の効果】
【００１５】
本考案に係る缶用溜り水排水具は、上記の通りであるので、これを大型缶に装着して用いることで、該大型缶の上面に雨水や雪解け水等の溜り水が残ることを確実且つ完全に回避でき、上記不衛生化、不良品化の防止に用いて好適且つ便利である。しかも、簡単且つ安価に提供できる。また缶の上面が傾いた状態であっても支障なく排水できる。加えて、使用に当たっては缶への装着が簡単且つスピーディにできて使いやすいのみならず包装、格納、搬送の場合には、薄くて小さい状態に折り畳むことができて実用的である。さらには缶の提供者への負担を皆無にできる等の優れた効果を奏する。
【考案を実施するための最良の形態】
【００１６】
図１乃至図３は、第１実施の形態に係る缶用溜り水排水具１を示す。なお、図１は排水具１全体を展開状態で示す斜視図であり、図２はこの排水具１を缶に装着した状態を示す斜視図であり、図３は図２のＡ−Ａ線に沿う断面図である。
【００１７】
この第１実施の形態に係る缶用溜り水排水具１は、厚手の不織布からなる帯状の主要部２と該主要部２の両端に設けられたこれら両端を相互に止める止着部３，４により構成されている。
【００１８】
上記止着部３，４は、その一方が感圧接着層３aを有し、他方が同感圧接着層３aが貼着する貼着面４aを有している感圧接着方式にしてある。なお、該止着部３，４は、上記感圧接着方式に限定されるものではなく、他の止着方式でもよく、またこの止着部３，４を設けずに使用者が手持の感圧接着テープ等を適宜使用して止着する方式にしてもよい。
【００１９】
また、上記主要部２は、前面吸水案内部分６a及び前面排水部分６bが折曲線部分６cを介して連設された前面部６と、左面吸水案内部分７a及び左面排水部分７bが折曲線部分７cを介して連設された左面部７と、後面吸水案内部分８a及び後面排水部分８bが折曲線部分８cを介して連設された後面部８と、右面吸水案内部分９a及び右面排水部分９bが折曲線部分９cを介して連設された右面部９とが折曲線部分１０により連結されて構成されている。すなわちこの主要部２は、１８リットル塗料缶１２の上面に形成された有底空間１３に溜る雨水、雪解け水等の溜り水（図示せず）を同有底空間１３の起立縁１４の外側に案内する前後左右の吸水案内部分６a〜９aと、該案内された溜り水を上記塗料缶１２の外に水滴５の状態で垂れ落とす排水部分６b〜９bを有しているものである。なお、この主要部２の構成には、フエルトシート、厚布、破れにくい紙等の繊維質素材を用いることができる。また、図には示さないが、適宜個所に芯材を入れて保形性をよくすることもできる。
【００２０】
上記第１実施の形態に係る缶用溜り水排水具１は、吸水案内部分６a〜９aが塗料缶１２の上面すなわち有底空間１３の底面に接した状態になるようにして且つ排水部分６b〜９bが塗料缶１２の外に垂れ下がった状態になるようにして同塗料缶１２の上部の周囲に掛け回して止着部３、４を止めるなどの用法で簡単且つスピーディに装着しうるようにしたものである。
【００２１】
図４及び図５は、第２実施の形態に係る缶用溜り水排水具１５を示す。なお、図４は排水具１５全体を展開状態で示す斜視図であり、図５は排水具１５を缶に装着した状態を示す斜視図である。
【００２２】
この第２実施の形態に係る缶用溜り水排水具１５は、スナップキャップ１６付きの例えば１８リットル塗料缶１７用のものであって、主要部２においてスナップキャップ１６と対応する個所１８、１９を切除して、同スナップキャップ１６の開閉を邪魔しないようにしたものである。
【００２３】
なお、上記の第２実施の形態に係る缶用溜り水排水具１５は、上記切除個所１８、１９を設けた点以外の部分は上記第１実施の形態に係る缶用溜り水排水具１と同様であるので同一の部位に同じ符号を付して、その説明は省略する。
【００２４】
本考案は、有底空間内に入ってきた雨水を上記排水部分から自然に外に排出され、同内に溜らないようにすることができればよいので、必ずしも上記のように全周に取り付けうる構成にしなくてもよく、部分に取り付けうるような構成にしても実施することができる。また、本考案に係る缶用溜り水排水具は、これを缶本体に着脱し得ない状態に固定することで、缶上面溜り水排水部付き缶として実施することができる。さらに小型缶に適用できる構成にして実施することができる。本考案はこれら実施の形態にも及ぶものとする。
【図面の簡単な説明】
【００２５】
【図１】第１実施の形態に係る缶用溜り水排水具全体を示す斜視図である。
【図２】同じく使用状態を示す斜視図である。
【図３】図２Ａ−Ａ線に沿う拡大断面図である。
【図４】第２実施の形態に係る缶用溜り水排水具全体を示す斜視図である。
【図５】同じく使用状態を示す斜視図である。
【符号の説明】
【００２６】
１  第１実施の形態に係る缶用溜り水排水具
２  主要部
３、４  止着部
３a  感圧接着層
４a  貼着面
５  水滴
６a〜９a  吸水案内部分
６b〜９b  排水部分
６c〜９c  折曲線部分
６  前面部
７  左面部
８  後面部
９  右面部
１０  折曲線部分
１２  塗料缶
１３  有底空間
１４  起立縁
１５  第２実施の形態に係る缶用溜り水排水具
１６  スナップキャップ
１７  塗料缶
１８、１９  切除個所
【図１】
0003115635.tif 000003
【図２】
0003115635.tif 000004
【図３】
0003115635.tif 000005
【図４】
0003115635.tif 000006
【図５】
0003115635.tif 000007